(57)【要約】【課題】簡易な構成で特定方向に指向性を有する無線通信装置を得ること。【解決手段】通信アンテナ１２と、通信アンテナ１２を収容する樹脂ケース１３と、通信アンテナ１２が放射する電波を反射する反射板１４と、反射板１４を樹脂ケース１３の側面の異なる複数の位置に取り付け可能な取付部材とを備え、取付部材により樹脂ケース１３の所定の位置に反射板１４を取り付けることにより、特定方向に通信アンテナ１２の指向性を得る。【選択図】図２
2011015295.tif 000002
【特許請求の範囲】
【請求項１】
通信アンテナと、
前記通信アンテナを収容する樹脂ケースと、
前記通信アンテナが放射する電波を反射する反射板と、
前記反射板を前記樹脂ケースの側面の異なる複数の位置に取り付け可能な取付部材と
を備え、
前記取付部材により前記樹脂ケースの所定の位置に前記反射板を取り付けることにより、特定方向に前記通信アンテナの指向性を得ることを特徴とする無線通信装置。
【請求項２】
前記取付部材は、前記反射板を前記側面から取り外し可能であることを特徴とする請求項１に記載の無線通信装置。
【請求項３】
前記取付部材は、粘着シートであることを特徴とする請求項１に記載の無線通信装置。
【請求項４】
前記取付部材は、前記樹脂ケースの側面に設けられ、前記反射板を前記樹脂ケースの側面に沿って横方向にスライド可能に支持することを特徴とする請求項１に記載の無線通信装置。
【請求項５】
演算を行うメイン処理基板をさらに備え、
前記通信アンテナは、前記メイン処理基板の上部または下部に配置されることを特徴とする請求項１から４のいずれか一項に記載の無線通信装置。
【発明の詳細な説明】
【技術分野】
【０００１】
本発明は、通信アンテナを内蔵する無線通信装置に関する。
【背景技術】
【０００２】
従来、例えば家庭内の所定の場所に設置するなど、一定の場所に固定して使用する無線データ通信装置が知られている。通信アンテナを内蔵する無線データ通信装置では、このように所定の場所に設置した後で指向性を調整することは困難である。このため、通信アンテナに指向性を持たせるために、装置外部に可動型のアンテナを取り付ける必要があった。しかしながら、外部にアンテナを取り付けた構造はデザイン上好ましくない。
【０００３】
内蔵型のアンテナの指向性を調整する技術として、例えば特許文献１には、アンテナの導波器と反射器として働く導体パターンを直接動かす技術が開示されている。また、特許文献２には、ＰＣＭＣＩＡカードのコネクターに指向性アンテナを設置したものが開示されている。
【先行技術文献】
【特許文献】
【０００４】
【特許文献１】特開２００５−２６９４３号公報
【特許文献２】特開２００５−７２９６２号公報
【発明の概要】
【発明が解決しようとする課題】
【０００５】
しかしながら、上記特許文献１にかかる方法は、調整が複雑であり、無線装置のアンテナ特性を直接変化させるものであるため一般ユーザが簡単に調整を行うことは困難である。また、上記特許文献２にかかる方法では、アンテナの設置後には指向性の方向を調整できないという問題があった。
【０００６】
本発明は、上記に鑑みてなされたものであって、簡易な構成で特定方向に指向性を有する無線通信装置を得ることを目的とする。
【課題を解決するための手段】
【０００７】
上述した課題を解決し、目的を達成するために、本発明は、無線通信装置であって、通信アンテナと、前記通信アンテナを収容する樹脂ケースと、前記通信アンテナが放射する電波を反射する反射板と、前記反射板を前記樹脂ケースの側面の異なる複数の位置に取り付け可能な取付部材とを備え、前記取付部材により前記樹脂ケースの所定の位置に前記反射板を取り付けることにより、特定方向に前記通信アンテナの指向性を得ることを特徴とする。
【発明の効果】
【０００８】
本発明によれば、簡易な構成で特定方向に指向性を有することができるという効果を奏する。
【図面の簡単な説明】
【０００９】
【図１】図１は、実施の形態１にかかる無線システムの全体構成を示す図である。
【図２】図２は、送信ユニットの概略構成図である。
【図３】図３は、実施の形態２にかかる送信ユニットの外観構成を示す図である。
【図４】図４は、実施の形態３にかかる送信ユニットの構成を示す図である。
【図５】図５は、実施の形態４にかかる送信ユニットの構成を示す図である。
【発明を実施するための形態】
【００１０】
以下に、本発明にかかる無線通信装置の実施の形態を図面に基づいて詳細に説明する。なお、この実施の形態によりこの発明が限定されるものではない。
【００１１】
実施の形態１．
図１は、実施の形態１にかかる無線システム１の全体構成を示す図である。無線システム１は、太陽光発電システムであり、太陽電池モジュール２と、パワーコンディショナ３と、分電盤４と、送信ユニット５と、受信ユニット６と、モニタ７とを備えている。送信ユニット５および受信ユニット６は、本発明の無線通信装置であり、太陽電池モジュール２およびパワーコンディショナ３による発電量や、分電盤４による消費電力量などの情報を送受信する。受信ユニット６は、これらの情報を自身が備えるモニタの他、モニタ７に表示する。これにより、ユーザは、発電量や消費電力量などを容易に知ることができる。送信ユニット５および受信ユニット６は、各家庭において所定の場所に固定設置されて、使用される。
【００１２】
図２は、送信ユニット５の概略構成図である。送信ユニット５は、メイン処理基板１０と、無線モジュール１１と、通信アンテナ１２と、これらを収容する樹脂ケース１３と、樹脂ケース１３に取り付け可能な反射板１４とを備えている。
【００１３】
メイン処理基板１０は、各種演算を行う演算手段である。無線モジュール１１は、無線通信に関する処理を行う。通信アンテナ１２は、電波の送受信を行う。通信アンテナ１２は、無線モジュール１１上に形成されている。なお、本実施の形態の通信アンテナ１２は、通信アンテナ１２の長手方向が水平方向と平行になるように設置されているが、他の例としては、通信アンテナ１２の長手方向が垂直方向と平行になるように設置されてもよい。無線モジュール１１は、メイン処理基板１０の上部に形成されている。無線モジュール１１とメイン処理基板１０とが水平方向に重なる位置に配置された場合、メイン処理基板１０により通信アンテナ１２から放射された電波が遮られてしまう。そこで、このように、メイン処理基板１０と無線モジュール１１は水平方向に重ならない位置に設置することとする。なお、他の例としては、無線モジュール１１は、メイン処理基板の下部に形成されてもよい。
【００１４】
樹脂ケース１３は、通信アンテナ１２からの電波を遮蔽することのない樹脂で形成された、直方体型のケースである。樹脂ケース１３の背面１３ａは、例えば住宅内の壁等に取り付けるための取付部材が設けられており、取付部材により樹脂ケース１３の背面１３ａを壁等に固定することができる。
【００１５】
送信ユニット５は、受信ユニット６と通信を行うものである。このため、送信ユニット５の通信アンテナ１２は、受信ユニット６の方向に指向性を有することが望ましい。反射板１４は、通信アンテナ１２から放射される電波を反射する。すなわち、反射板１４の位置を制御することにより、特定方向に通信アンテナ１２の指向性を得ることができる。
【００１６】
反射板１４の裏面１４ａには、樹脂ケース１３に反射板１４を取り付けるための取付部材としての粘着シート１５が設けられている。反射板１４は、この粘着シート１５により樹脂ケース１３に固定される。反射板１４は、粘着シート１５により樹脂ケース１３の正面、背面、右側面および左側面からなる側面の任意の位置に取り付けることができる。すなわち、樹脂ケース１３の正面や背面など複数の位置のうち任意の位置に取り付けることができる。
【００１７】
樹脂ケース１３と反射板１４とは一体に設けられているのではなく、このように、粘着シート１５により取り付け可能な状態で提供される。送信ユニット５および受信ユニット６の設置位置は、住宅の構造や分電盤４の位置などにより制限されることが多く、必ずしも送信ユニット５と受信ユニット６の指向性を考慮した位置に設置できるとは限らない。しかしながら、本実施の形態の送信ユニット５においては、反射板１４は、樹脂ケース１３に取り付け可能な状態で提供される。このため、送信ユニット５および受信ユニット６を設置した後に、樹脂ケース１３の側面のうち、受信ユニット６の方向に指向性を得るような位置に反射板１４を取り付けることにより、簡単に特定方向、すなわち受信ユニット６の方向に通信アンテナ１２の指向性を得ることができる。
【００１８】
具体的には、樹脂ケース１３の右側面の方向に指向性を得るためには、反射板１４を樹脂ケース１３の左側面に取り付ければよい。このように、指向性を得たい方向に応じて反射板１４を自由に取り付けることができる。
【００１９】
以上、図２を参照しつつ送信ユニット５の構成について説明したが、受信ユニット６の構成も送信ユニット５の構成と同様である。すなわち、送信ユニット５の方向に通信アンテナ１２の指向性を得るべく、反射板１４を樹脂ケース１３に取り付けることができる。これにより、送信ユニット５からの電波を効率的に受信することができる。
【００２０】
なお、反射板１４を樹脂ケース１３に取り付ける取り付け部材は、粘着シート１５に限定されるものではなく、例えば両面テープや接着剤など、反射板１４を樹脂ケース１３に固定可能なものであればよい。
【００２１】
また、他の例としては、複数の反射板１４を備え、樹脂ケース１３には、複数の反射板１４を取り付け可能としてもよい。これにより、反射板１４の固定位置だけでなく、反射板のサイズ、形状も可変とすることができるので、より適切な指向性を得ることができる。
【００２２】
また、他の例としては、反射板１４に設けられた粘着シートは取り外し可能であってもよい。これにより、樹脂ケース１３の複数の位置に反射板１４を固定し、各位置において通信状態を確認し、最も適切な位置に反射板１４を固定することができる。
【００２３】
実施の形態２．
図３は、実施の形態２にかかる送信ユニット１６の外観構成を示す図である。実施の形態２にかかる送信ユニット１６においては、反射板１４を樹脂ケース１３に取り付けるための構造が、実施の形態２にかかる送信ユニット５と異なっている。実施の形態２において、反射板１４を樹脂ケース１３に取り付ける取付部材は、樹脂ケース１３の側面に設けられたスライドレール１７Ａ，１７Ｂである。スライドレール１７Ａ，１７Ｂは、それぞれ反射板１４の上辺および下辺を支持する。これにより、反射板１４は、樹脂ケース１３の側面にスライド可能に支持される。なお、スライドレール１７Ａ，１７Ｂは、樹脂ケース１３の正面、背面、右側面および左側面のすべてに設けられており、反射板１４を任意の位置に固定することができる。
【００２４】
なお、実施の形態２にかかる無線システムのこれ以外の構成は、実施の形態１にかかる無線システム１の構成と同様である。
【００２５】
実施の形態３．
図４は、実施の形態３にかかる送信ユニット１８の構成を示す図である。実施の形態３にかかる送信ユニット１８においては、無線モジュール１１は、メイン処理基板１０上に形成されている。そして、通信アンテナ１２のみが、メイン処理基板１０の上部に独立して設けられている。なお、本実施の形態においても、反射板１４は、樹脂ケース１３に取り付け可能であり、反射板１４を任意の位置に固定することにより、受信ユニット６の方向に通信アンテナ１２の指向性を得ることができる。
【００２６】
なお、実施の形態３にかかる無線システムのこれ以外の構成は、他の実施の形態にかかる無線システムの構成と同様である。
【００２７】
実施の形態４．
図５は、実施の形態４にかかる送信ユニット１９の構成を示す図である。実施の形態４にかかる送信ユニット１９は、メイン処理基板１０を収容する第１樹脂ケース２０Ａと通信アンテナ１２を搭載した無線モジュール１１を収容する第２樹脂ケース２０Ｂとを備えている。第１樹脂ケース２０Ａは、直方体型のケースであり、第２樹脂ケース２０Ｂは、円柱型のケースである。反射板２１は、第２樹脂ケース２０Ｂの側面の曲率に対応する曲率の曲面である。この場合にも、反射板２１は、第２樹脂ケース２０Ｂの任意の位置に取り付け可能であり、反射板２１を所定の位置に取り付けることにより、受信ユニット６の方向に通信アンテナ１２の指向性を得ることができる。
【００２８】
なお、実施の形態４にかかる無線システムのこれ以外の構成は、他の実施の形態にかかる無線システムの構成と同様である。
【符号の説明】
【００２９】
１  無線システム
５  送信ユニット
６  受信ユニット
１０  メイン処理基板
１１  無線モジュール
１２  通信アンテナ
１３  樹脂ケース
１４  反射板
１５  粘着シート
１７Ａ，１７Ｂ  スライドレール
【図１】
2011015295.tif 000003
【図２】
2011015295.tif 000004
【図３】
2011015295.tif 000005
【図４】
2011015295.tif 000006
【図５】
2011015295.tif 000007